(57)【特許請求の範囲】
【請求項１】
一枚の板に設けられた複数の折り線を選択して折り曲げることでサイズの異なる二種類の文書箱を組み立てる文書保存箱であって、
上記一枚の板は、
矩形状の底板と、
上記底板の上下両端からそれぞれ上下方向に連設され且つ第１、第２の折り線を介して上記底板の内側へ折り曲げられて互いに対向する正面板及び背面板と、
上記背面板の左右両端それぞれから外方向に連設され且つ第３、第４の折り線を介して上記正面板の内側へ折り曲げられて互いに対向する左側板及び右側板と、
上記正面板の左右両端それぞれから外方向に連設され且つ第５、第６の折り線を介して上記正面板の内側へ折り曲げられて互いに対向する上記左右の側板の内面に重なる左内側板及び右内側板と、
上記背面板の上端から上方向に連設され且つ上記第２の折り線に平行な折り線を介して上記背面板の内側へ折り曲げられて上記底板と対向する蓋板と、
上記左側板及び上記右側板それぞれの上下両端から上下方向へそれぞれ連設され且つ第７、第８の折り線を介して上記左右の側板の内側へ折り曲げられて上下でそれぞれ互いに対向する左右一対の内側底板及び内側蓋板と、を備えており、
上記背面板及び上記左右の側板にはそれぞれの下端から所定の距離だけ離間した位置にサイズを変更するための第１のサイズ変更用の折り線が設けられていると共に上記第３、第４の折り線それぞれの下端から上記第１のサイズ変更用の折り線に達する左右一対の切り込みが設けられており、また、
上記正面板及び上記左右の内側板にはそれぞれの上端から上記所定の距離だけ離間した位置にサイズを変更するための第２のサイズ変更用の折り線が設けられていると共に上記第５、第６の折り線それぞれの上端から上記第１のサイズ変更用の折り線に達する左右一対のミシン目が設けられている
ことを特徴とする組立式文書保存箱。
【請求項２】
上記左右の内側板の自由端の下端部それぞれには上記左右一対の切り込みに差し込まれる左右一対の差し込み片が設けられていることを特徴とする請求項１に記載の組立式文書保存箱。
【請求項３】
上記左右一対の切り込みの下端から上記左右一対の内側蓋板の左右端に達する左右一対の斜行折り線が設けられ、上記左右一対の斜行折り線を介して上記左右一対の内側底板を上記背面板内面に折り畳めるように構成されていることを特徴とする請求項１または請求項２に記載の組立式文書保存箱。
【発明の詳細な説明】
【技術分野】
【０００１】
本発明は、組立式文書保存箱に関し、更に詳しくは、文書のサイズに即して文書保存箱を二種類のサイズ間で変更することができる組立式文書保存箱に関するものである。
【背景技術】
【０００２】
従来の組立式文書保存箱としては、例えば段ボール箱が知られている。段ボール箱は、文書に限らず種々の品物の大きさに即して様々な大きさのものが用意されている。段ボール箱は、例えば所定の形状に裁断された一枚の段ボール板から作られる。一枚の段ボール板は、底板、蓋板及び４つの側板が一体化したものとして裁断されている。この段ボール板は、底板、蓋板及び４つの側板に区画する複数の折り線が設けられており、複数の折り線で折り曲げられて底板、蓋板及び４つの側板からなる段ボール箱として組みたてられる。
【０００３】
この種の段ボール箱には種々の工夫が施され、組み立てが簡単な段ボール箱や、使い勝手の良い段ボール箱等が多数開発されている。例えば、特許文献１には、段ボール箱として、上蓋と二つの側面が開放できる組立式収納箱が提案されている。
【０００４】
この収納箱では、複数の収納箱が複数行複数列に配列され、その上に複数段に亘って積み重ねられて上面が塞がれていても、二つの側面が露出していれば、その側面を開放して品物を出し入れすることができる利便性がある。
【０００５】
【特許文献１】特許第４２５３０３０号
【発明の概要】
【発明が解決しようとする課題】
【０００６】
しかしながら、特許文献１に記載の組立式収納箱は上面以外に二つの側面を開閉できる利便性があるものの、この収納箱を文書保存箱として使用する場合、当初とは文書のサイズが異なると、無駄なスペースができやすく、文書保存箱としてスペースを有効に活用することができないという課題があった。
【０００７】
本発明は、上記課題を解決するためになされたもので、文書のサイズに即して保存スペースのサイズを変更し、保存スペースを効率よく活用することができる組立式文書保存箱を提供することを目的としている。
【課題を解決するための手段】
【０００８】
本発明の請求項１に記載の組立式文書保存箱は、一枚の板に設けられた複数の折り線を選択して折り曲げることでサイズの異なる二種類の文書箱を組み立てる文書保存箱であって、上記一枚の板は、矩形状の底板と、上記底板の上下両端からそれぞれ上下方向に連設され且つ第１、第２の折り線を介して上記底板の内側へ折り曲げられて互いに対向する正面板及び背面板と、上記背面板の左右両端それぞれから外方向に連設され且つ第３、第４の折り線を介して上記正面板の内側へ折り曲げられて互いに対向する左側板及び右側板と、上記正面板の左右両端それぞれから外方向に連設され且つ第５、第６の折り線を介して上記正面板の内側へ折り曲げられて互いに対向する上記左右の側板の内面に重なる左内側板及び右内側板と、上記背面板の上端から上方向に連設され且つ上記第２の折り線に平行な折り線を介して上記背面板の内側へ折り曲げられて上記底板と対向する蓋板と、上記左側板及び上記右側板それぞれの上下両端から上下方向へそれぞれ連設され且つ第７、第８の折り線を介して上記左右の側板の内側へ折り曲げられて上下でそれぞれ互いに対向する左右一対の内側底板及び内側蓋板と、を備えており、上記背面板及び上記左右の側板にはそれぞれの下端から所定の距離だけ離間した位置にサイズを変更するための第１のサイズ変更用の折り線が設けられていると共に上記第３、第４の折り線それぞれの下端から上記第１のサイズ変更用の折り線に達する左右一対の切り込みが設けられており、また、上記正面板及び上記左右の内側板にはそれぞれの上端から上記所定の距離だけ離間した位置にサイズを変更するための第２のサイズ変更用の折り線が設けられていると共に上記第５、第６の折り線それぞれの上端から上記第１のサイズ変更用の折り線に達する左右一対のミシン目が設けられていることを特徴とするものである。
【０００９】
また、本発明の請求項２に記載の組立式文書保存箱は、請求項１に記載の発明において、上記左右の内側板の自由端の下端部それぞれには上記左右一対の切り込みに差し込まれる左右一対の差し込み片が設けられていることを特徴とするものである。
【００１０】
また、本発明の請求項３に記載の組立式文書保存箱は、請求項１または請求項２に記載の発明において、上記左右一対の切り込みの下端から上記左右一対の内側蓋板の左右端に達する左右一対の斜行折り線が設けられ、上記左右一対の斜行折り線を介して上記左右一対の内側底板を上記背面板内面に折り畳めるように構成されていることを特徴とするものである。
【発明の効果】
【００１１】
本発明によれば、文書のサイズに即して保存スペースのサイズを変更し、保存スペースを効率よく活用することができる組立式文書保存箱を提供することができる。
【図面の簡単な説明】
【００１２】
【図１】本発明の組立式文書保存箱の一実施形態を示す展開図である。
【図２】(ａ)、(ｂ)はそれぞれ図１に展開して示す組立式文書保存箱を組み立てる工程を示す斜視図である。
【図３】(ａ)、(ｂ)はそれぞれ図２に示す工程の後工程を示す組立式文書保存箱の斜視図である。
【図４】図３に示す工程の後工程で組み立て後の組立式文書保存箱を示す斜視図である。
【図５】(ａ)、(ｂ)はそれぞれ図４に示す組立式文書保存箱とは異なるサイズの組立式文書保存箱を組み立てる工程を示す斜視図である。
【図６】(ａ)、(ｂ)はそれぞれ図５に示す工程の後工程を示す組立式文書保存箱の斜視図である。
【図７】図６に示す工程の後工程で組み立て後の組立式文書保存箱を示す斜視図である。
【図８】図１に示す組立式文書保存箱を流通形態に折り畳む工程を示す組立式文書保存箱の斜視図である。
【図９】図８に示す工程の後工程を示す組立式文書保存箱の斜視図である。
【図１０】流通形態まで折り畳まれた状態を示す組立式文書保存箱の、斜視図である。
【図１１】本発明の組立式文書保存箱の他の実施形態を示す斜視図である。
【発明を実施するための形態】
【００１３】
以下、図１〜図１１に示す実施形態に基づいて本発明を説明する。
【００１４】
本実施形態の組立式文書保存箱（以下、単に「保存箱」と称す。）１０は、図１の展開図に示すように、一枚の板（例えば、段ボール板）からなり、その段ボール板に設けられた複数の折り線を選択して折り曲げることでサイズの異なる二種類の文書箱として組み立てることができるように構成されている。一枚の段ボール板は、略その中央に位置する矩形状の底板１１と、底板１１の上下両端からそれぞれ上下方向に連設された前後の正面板１２及び背面板１３と、背面板１３の左右両端それぞれから外方向に連設された左右の左側板１４及び右側板１５と、正面板１２の左右両端それぞれから外方向に連設された左右の左内側板１６及び右内側板１７と、背面板１２の上端から上方向に連設された蓋板１８と、左側板１４及び右側板１５それぞれの上下両端から上下方向へそれぞれ連設された左右の内側底板１９、２０及び左右の内側蓋板２１、２２と、を備えている。
【００１５】
底板１１は、図１に示すように、正面板１２及び背面板１３から第１、第２の折り線Ｌ１、Ｌ２を介して区画されている。正面板１２が第１の折り線Ｌ１を介して底板１１の内側に向けて垂直に折り曲げられると共に背面板１３が第２の折り線Ｌ２介して底板１１の内側に向けて垂直に折り曲げられることにより、正面板１２と背面板１３が底板１１を隔てて互いに対向するようになっている。
【００１６】
図１に示すように正面板１２の第１の折り線Ｌ１と対向する辺（図１では下端）には全長に亘ってフラップ１２Ａが折り線Ｆ１を介して折り曲げ自在に形成され、その折り線Ｆ１の中央に細長形状の差し込み口１２Ｂが形成され、この差し込み口１２Ｂの中央をフラップ１２Ａから正面板１２に跨ぐには差し込み片１２Ｃが形成されている。差し込み口１２Ｂは、後述する蓋板の差し込み片が差し込まれて、保存箱１０に蓋をするようになっている。差し込み片１２Ｃは、蓋板の差し込み口に差し込んで蓋板が開放されないようにしている。
【００１７】
図１に示すように背面板１３は、左側板１４及び右側板１５から第３、第４の折り線Ｌ３、Ｌ４を介して区画されている。図２の(ａ)に示すように、背面板１３が第２の折り線Ｌ２を介して底板１１の内側に向けて垂直に折り曲げられた状態で、左側板１４が第３の折り線Ｌ３を介して背面板１３の内側に向けて垂直に折り曲げられると共に右側板１５が第４の折り線Ｌ４介して背面板１３の内側に向けて垂直に折り曲げられることにより、図２の (ｂ)に示すように、左側板１４と右側板１５が底板１１を挟んで互いに対向するようになっている。また、左右の側板１４、１５の上部中央には長孔１４Ａ，１５Ａが形成され、この長孔１４Ａ、１５Ａが取っ手の機能を果たすようになっている。
【００１８】
正面板１２は、図１に示すように、左内側板１６及び右内側板１７から第５、第６の折り線Ｌ５、Ｌ６を介して区画されている。図２の(ａ)に示すように、左内側板１６が第５の折り線Ｌ５を介して正面板１２の内面に向けて垂直に折り曲げられると共に右内側板１７が第６の折り線Ｌ６介して正面板１２の内面に向けて垂直に折り曲げられると共に、この状態で図２の (ｂ)に示すように正面板１２が第１の折り線Ｌ１を介して底板１１の内面に向けて垂直に折り曲げられて左内側板１６及び右内側板１７がそれぞれ左側板１４及び右側板１５の内面に重なるように入り込むことで図３の(ａ)、(ｂ)に示すように底面板１１を挟んで互いに対向するようになっている。
【００１９】
また、左右の内側板１６、１７の上部中央部には長孔１６Ａ，１７Ａが形成され、この長孔１６Ａ、１７Ａが左右の側板１４、１５の長孔１４Ａ、１５Ａと重なって取っ手になるように形成されている。更に、図１では左右の内側板１６、１７において長孔１６Ａ、１７Ａそれぞれのやや上方でやや外側に第２の長孔１６Ｂ、１７Ｂが形成され、保存箱１０のサイズを変更した時に左右の側板１４、１５の長孔１４Ａ、１５Ａと重なって取っ手になるように形成されている。左右の内側板１６、１７の長孔は、いずれも長孔を開閉する蓋１６Ａ１、１７Ａ１、１６Ｂ１、１７Ｂ１を有し、これらの蓋が長孔１４Ａ、１５Ａ側に折り曲げられるようになっている。また、図１では左右の内側板１６、１７の下端には正面板１２のフラップ１２Ａと同一幅のフラップ１６Ｃ、１７Ｃが折り線Ｆ２を介して形成されている。各フラップ１６Ｃ、１７Ｃの自由端には折り線Ｆ２に対して直交する方向の切欠き部１６Ｄ、１７Ｄが形成され、後述するように保存箱１０のサイズを変更した時に正面板１２の差し込み口１２Ｂの両端部と重なり、蓋板１８の差し込み片１８Ａが差し込まれるようになっている。
【００２０】
図１に示すように背面板１３は、蓋板１８から折り線Ｌ７を介して区画されている。蓋板１８は、折り線Ｌ７を介して背面板１３の内側に垂直に折り曲げられて保存箱１０の蓋として閉じようになっている。蓋板１８の自由端の中央には折り線Ｆ３を介して差し込み片１８Ａが突出して形成され、正面板１２の細長い差し込み口１２Ｂに差し込むようになっている。また、差し込み片１８Ａ基端の折り線Ｆ３中央には細長形状の差し込み口１８Ｂが形成され、この差し込み口１８Ｂに正面板１２の差し込み片１２Ｃを差し込んで保存箱１０の開口を閉じた蓋板１８を止めるようにしてある。
【００２１】
左内側底板１９と左内側蓋板２１は、図１に示すように、それぞれ上下の第７、第８の折り線Ｌ８、Ｌ９を介して左側板１４から区画されている。これと同様に、右内側底板２０と右内側蓋板２２は、それぞれ第７、第８の折り線Ｌ８、Ｌ９を介して右側板１５から区画されている。図２の(ａ)に示すように背面板１３が第２の折り線Ｌ２を介して底面１１の内面に向けて垂直に折り曲げられた状態で、左内側底板１９と右内側底板２０がそれぞれ垂直に折り曲げられ、更に左右の側板１４、１５が第３、第４の折り線Ｌ３、Ｌ４を介して背面板１３の内面に向けて折り曲げられると、左内側底板１９及び右内側底板２０が底板１１の内面で重なるようになっている。また、蓋板１８と左右の内側蓋板２１、２２は、上述のように左右の内側板１６、１７が左右の側板１４、１５内に折り込まれた時点で、それぞれの折り線Ｌ７、Ｌ９を介して折り曲げられるようになっている。
【００２２】
図１に示すように左内側底板１９には、自由端の中央から第７の折り線Ｌ８に向かう切り込み１９Ａが形成され、底板１１に近い側の自由端が遠い側の自由端より短くなっている。また、右内側底板２０にも同様の切り込み２０Ａが形成され、底板１１に近い側の自由端が遠い側の自由端より長くなっている。これにより、左右の内側底板１９、２０は、図２の(ｂ)に示すように底板１１上でそれぞれの切り込み１９Ａ、２０Ａ同士が噛み込んで自由端の長い方が短い方に重なって内側底板を形成するようにしてある。
【００２３】
また、本実施形態の保存箱１０は、以下で説明するように、必要に応じてサイズを変更できるように構成されている。
【００２４】
即ち、正面板１２及びその左右の内側板１６、１７には、図１に示すようにそれぞれのフラップ１２Ａ、１６Ｃ、１７Ｃの基端に位置する折り線Ｆ２、Ｆ１、Ｆ２から所定距離だけ離間した位置にこれらの折り線Ｆ２、Ｆ１、Ｆ２と平行する折り線Ｌ１０が左内側板１６の二つの長孔１６Ａ、１６Ｂの中間と右内側板１７の二つの長孔１７Ａ、１７Ｂの中間を通って形成されている。また、図１に示すように第５、第６の折り線Ｌ５、Ｌ６にはそれぞれの下端と折り線Ｌ１０との交点を結ぶ一対のミシン目Ｍ１、Ｍ２が形成されている。これらのミシン目Ｍ１、Ｍ２は、保存箱１０のサイズを変更する時に切り離され、図６の(ａ)に示すように正面板１２及び左右の内側板１６、１７が折り線Ｌ１０を介して折り曲げられ、その折り曲げられた部分が図６の (ｂ)に示すように蓋板１８及び左右の内側蓋板２１、２２の足りない部分を補充するようにしてある。
【００２５】
また、図１に示すように背面板１３及びその左右の側板１４、１５にはそれぞれの折り線Ｌ８、Ｌ２、Ｌ８から折り線Ｌ９、Ｌ７、Ｌ９の方へ所定距離だけ離間した位置にこれらの折り線Ｌ８、Ｌ２、Ｌ８と平行する一本の折り線Ｌ１１が形成されている。この所定距離は、上述の正面板１２、左右の内側板１６、１７の折り線Ｆ２、Ｆ１、Ｆ２と折り線Ｌ１０との間の所定距離と同一である。この折り線Ｌ１１は、左側板１４の左端から右側板１５の右端に達する長さに形成されている。
【００２６】
また、図１において、底板１１の左右の辺と第２の折り線Ｌ２の交点と第３、第４の折り線Ｌ３、Ｌ４と折り線Ｌ１１との交点との間に切り込みＮ１、Ｎ２が形成されている。また、図１に示すように、これらの切り込みＮ１、Ｎ２に対応させて、左右の内側板１６、１７の左右端の辺の底板１１側には細幅の差し込み片１６Ｅ、１７Ｅが形成されている。これらの差し込み片１６Ｅ、１７Ｅが図３の(ａ)に示すように正面板１２が第１の折り線Ｌ１を介して底板１１の内面に向けて垂直に折り曲げられて切り込みＮ１、Ｎ２に差し込まれてロックされ、正面板１２が図３の(ｂ)に示すように底板１１に対して垂直状態を維持するようにしている。また、これらの切り込みＮ１、Ｎ２が形成されているため、図５の（ａ）に示すように背面板１３及び左右の側板１４、１５がそれぞれ折り線Ｌ１１を介して垂直に折り曲げられ、更に、左右の側板１４、１５が図５の（ｂ）に示すように第３、第４の折り線Ｌ３、Ｌ４を介して直角に折り曲げられ、背面板１３及び左右の側板１４、１５の所定幅部分が底板１１の延びた部分を補うようになっている。
【００２７】
図１に示すように第２の折り線Ｌ２の左右両端から左右の内側蓋板２１、２２の左右両端の辺の中ほどに達する第１、第２の斜行折り線Ｌ１２、１３が形成され、左右の内側底板１９、２０が第１、第２の斜行折り線Ｌ１２、Ｌ１３を介して図８に示すように背面板１３上に折り畳まれるようになっている。折り畳まれた左右の内側底板１９、２０は、それぞれの切り込み１９Ａ、２０Ａが互いに噛み合っている。従って、この状態で背面板１３が第２の折り線Ｌ２を介して底板１１の内側へ折り曲げて垂直に立ち上げ、左右の内側底板１９、２０が底板１１の内面へ重ねられることで底板１１に対して背面板１３及び左右の側板１４、１５の三面が同時に組み上げられることになる。
【００２８】
保存箱１０は、例えば図１０に示すように折り畳まれる。即ち、左右の内側底板１９、２０が図８に示すように背面板１３の内面に折り畳まれた状態で、左右の内側板１６、１７が図９に示すように第５、第６の折り線Ｌ５、Ｌ６を介して正面板１２の内側へ折り畳まれる。蓋板１８が第２の折り線Ｌ２を介して正面板１２側へ折り畳まれて図１０に示す状態になる。つまり、流通時に、保存箱１０は、内側底板１９、２０が底板１１上に左右の折り畳まれ、これが第２の折り線ｌ２を介して正面板１２上に折り畳まれてコンパクトにまとめられる。
【００２９】
次いで、図１〜図７を参照しながら本実施形態の保存箱１０から二種類の保存箱を組み立て方法について説明する。
【００３０】
まず、図１に示すように保存箱１０を一枚板の状態に展開した状態から第１のサイズの保存箱１０を組み立てる方法について図１〜図４を参照しながら説明する。例えば図１の状態から背面板１３及び左右の側板１４、１５がそれぞれ折り線Ｌ２、Ｌ８を介して底板１１の内面に向けて折り曲げられて図２の（ａ）に示す底板１１に対して垂直状態になる。この状態で左右の側板１４、１５が第３、第４の折り線Ｌ３、Ｌ４を介して背面板１３の内側へ折り曲げられて互いに平行に調整される。この際、左の内側底板１９の切り込み１９Ａと右の内側底板２０の切り込み２０Ａとが噛み合った状態で底板１１の内面に重なる。その後、図２の（ｂ）に示すように、左右の内側板１６、１７が第５、第６の折り線Ｌ５、Ｌ６を介して正面板１２の内側へ垂直に折り曲げられると共に正面板１２が第１の折り線Ｌ１を介して左右の側板１４、１５に向けて折り曲げられる。この際、左右の内側板１６、１７が左右の側板１４、１５の内面に重なる。
【００３１】
図２の（ｂ）に示す状態から図３の（ａ）に示すように正面板１２が更に折り曲げられて図３の（ｂ）に示すように垂直状態になるまで起こされる。正面板１２が垂直状態まで起こされると左右の内側板１６、１７の差し込み片１６Ｅ、１７Ｅが背面板１３と左右の側板１４、１５の下端部にある切り込みＮ１、Ｎ２に差し込まれる。この時、差し込み片１６Ｅ、１７Ｅの上辺が切り込みＮ１、Ｎ２の上端に引っ掛かり、左右の内側板１６、１７が切り込みＮ１、Ｎ２でロックされ、保存箱１０としての形態が維持される。また、底板１１上には左右の内側底板１９、２０が重なって二重底になり、左右の側板１４、１５には左右の内側板１６、１７が重なって二重壁になり、底板１１及び左右の側板１４、１５がそれぞれ補強される。
【００３２】
図３の（ｂ）に示す状態で正面板１２のフラップ１２Ａと左右の内側板１６、１７それぞれのフラップ１６Ｃ、１７Ｃが折り線Ｆ２、Ｆ１、Ｆ２を介して内側へ折り曲げられる。この際、正面板１２の差し込み片１２Ｃは曲げずにおく。引き続き、左右の内側蓋板２１、２２がそれぞれ折り線Ｌ９を介して内側へ折り曲げられ、その上に蓋板１８が折り線Ｌ７を介して折り曲げられて保存箱１０の蓋を形成する。この際、蓋板１８の差し込み片１８Ａが正面板１２の差し込み口１２Ｂに差し込まれ、更に、正面板１２の差し込み片１２Ｂが蓋板１８の差し込み口１８Ｂに差し込まれて保存箱１０が蓋板１８によって図４に示すように簡単には開かないように閉じられる。
【００３３】
次いで、図１に示すように保存箱１０を一枚板の状態に展開した状態から第２のサイズ（第１のサイズより長く、底が浅い）の保存箱１０を組み立てる方法について図５〜図７を参照しながら説明する。例えば図１の状態から背面板１３と左右一対の内側底板１９、２０がそれぞれ折り線Ｌ１１を介して図５の（ａ）に示すように垂直状態に折り曲げられた状態で左右の側板１４、１５が第３、第４の折り線Ｌ３、Ｌ４を介して底板１１側へ直角に折り曲げられて図５の（ｂ）に示す状ように互いに平行に対峙するように調整される。
【００３４】
この際、背面板１３及び左右の側板１４、１５の折り線Ｌ１１より下側の部分が底板１１の拡張部分になり、左右の内側底板１９、２０が第１のサイズの場合より切り込み１９Ａ、２０Ａを介して深く噛み合って底板１１の内が切り離された後、左右の内側板１６、１７が第５、第６の折り線Ｌ５、Ｌ６を介して正面板１２の内側へ折り曲げられると共に正面板１２が第１の折り線Ｌ１を介して左右の側板１４、１５に向けて折り曲げらて垂直に起こされて図６の（ａ）に示す状態になる。この際、左右の内側板１６、１７が左右の側板１４、１５の内側に重なる。
【００３５】
その後、図６の（ａ）に示す状態で左右の内側板１６、１７の上部がそれぞれ折り線Ｌ１０を介して内側へ折り曲げられて左右の内側蓋板２１、２２の拡張部分を形成すると共に左右の内側蓋板２１、２２が折り線Ｌ９を介して内側へ折り曲げられる。更に、図６の（ｂ）に示すように正面板１２の上部が折り線Ｌ１０を介して内側へ折り曲げられて蓋板１８の足りない部分を補充する拡張蓋板になる。図６の（ｂ）に示す状態で蓋板１８が折り線Ｌ７を介して内側へ折り曲げられて差し込み片１８Ａが正面板１２の差し込み口１２Ｂに差し込まれ、蓋板１８の差し込み口１８Ｂに正面板１２の差し込み片１２Ａが差し込まれて保存箱１０が蓋板１８によって図７に示すように簡単には開かないように閉じられる。図７に示す保存箱１０は、図４に示す保存箱１０と比較すれば判るように図４に示すものよりも細長く、浅くなっている。
【００３６】
本実施形態の保存箱１０は、左右の側板１４、１５に形成された第１、第２の斜行折り線Ｌ１２、Ｌ１３を介してコンパクトに折り畳まれると共に保存箱１０として簡単且つ短時間で組み立てられる。この折り畳み方について図８〜図１０を参照しながら説明する。
【００３７】
まず、図１に示す状態から左右の内側底板１９、２０が第１、第２の斜行折り線Ｌ１２、Ｌ１３を介して背面板１３の内面に重ねるように折り畳まれて図８に示す状態になる。この際、左右の内側底板１９、２０はそれぞれの切り込み１９Ａ、２０Ａが噛み合って短い部分と長い部分とが互い違いに重なる。次いで、左右の内側板１６、１７が第５、第６の折り線Ｌ５、Ｌ６を介して正面板１２の内面に向けて折り畳まれて図９に示す状態になる。この状態から蓋板１８及び背面板１３が第２の折り線Ｌ２を介して底板１１と正面板１２側に折り畳まれて図１０に示すようにコンパクトな状態になる。
【００３８】
図１０に示す状態から保存箱１０を組み立てる場合には、まず正面板１２と背面板１３を開き、保存箱１０を図９に示すように展開する。次いで、背面板１３を第２の折り線Ｌ２を介して底板１１の内面に向けて折り曲げると共に左右の内側底板１９、２０をそれぞれの切り込み１９Ａ、２０Ａで噛み合ったまま底板１１上に重ねることにより、ワンタッチで簡単に保存箱１０の底板１１、背面板１３及び左右の側板１４、１５が形成される。この状態で図３の（ａ）に示すように左右の内側板１６、１７を正面板１２から起こすと共に正面板１２を第１の折り線Ｌ１を介して起こす。この際、左右の内側板１６、１７を左右の側板１４、１５の内側に差し込むと、左右の内側板１６、１７の差し込み片１６Ｅ、１７Ｅが切り込みＮ１、Ｎ２に差し込まれて、図３の（ｂ）に示すように保存箱１０としての形態が維持される。その後、保存箱１０に書類を収納した後、正面板１２、左右の内側板１６、１７それぞれのフラップ１２Ａ、１６Ｄ、１７Ｄを折り線Ｆ２、Ｆ１、Ｆ２を介して内側に曲げ、左右の内側蓋板１９、２０を内側に折り曲げ、蓋板１８を閉じることで保存箱１０内に書類を保存することができる。
【００３９】
以上説明したように本実施形態によれば、矩形状の底板１１と、底板１１の上下両端からそれぞれ上下方向に連設され且つ第１、第２の折り線Ｌ１、Ｌ２を介して底板１１の内側へ折り曲げられて互いに対向する正面板１２及び背面板１３と、背面板１３の左右両端それぞれから外方向に連設され且つ第３、第４の折り線Ｌ３、Ｌ４を介して正面板１３の内側へ折り曲げられて互いに対向する左側板１４及び右側板１５と、正面板１２の左右両端それぞれから外方向に連設され且つ第５、第６の折り線Ｌ５、Ｌ６を介して正面板の内側へ折り曲げられて互いに対向する左右の側板１４、１５の内面に重なる左内側板１６及び右内側板１７と、背面板１３の上端から上方向に連設され且つ第２の折り線Ｌ２に平行な折り線Ｌ７を介して背面板１３の内側へ折り曲げられて底板１１と対向する蓋板１８と、左側板１４及び右側板１５それぞれの上下両端から上下方向へそれぞれ連設され且つ第７、第８の折り線Ｌ８、Ｌ９を介して左右の側板１４、１５の内側へ折り曲げられて上下でそれぞれ互いに対向する左右一対の内側底板１９、２０及び内側蓋板２１、２２と、を備えており、背面板１３及び左右の側板１４、１５にはそれぞれの下端から所定の距離だけ離間した位置にサイズを変更するための折り線Ｌ１１が設けられていると共に第３、第４の折り線Ｌ３、Ｌ４それぞれの下端からこれらの折り線Ｌ３、Ｌ４に沿って折り線Ｌ１１に達する左右一対の切り込みＮ１、Ｎ２が設けられており、また、正面板１２及び左右の内側板１６、１７にはそれぞれの上端から所定の距離だけ離間した位置に折り線Ｌ１０が設けられていると共に第５、第６の折り線Ｌ５、Ｌ６それぞれの上端からそれぞれの折り線Ｌ５、Ｌ６に沿って折り線Ｌ１０に達する左右一対のミシン目Ｍ１、Ｍ２が設けられているため、文書の種類に応じて、折り線Ｌ１０、１１、切り込みＮ１、Ｎ２及びミシン目Ｍ１、Ｍ２を利用することで細長く、底の浅い第２のサイズの保存箱１０を作ることができ、これらを利用しない時には底の深い第１のサイズの保存箱１０を作ることができる。
【００４０】
また、本実施形態によれば、左右の内側板１６、１７の自由端の下端部それぞれには左右一対の切り込みＮ１、Ｎ２に差し込まれる左右一対の差し込み片１６Ｅ、１７Ｅが設けられているため、差し込み片１６Ｅ、１７Ｅと切り込みＮ１、Ｎ２によって左右の内側板１６、１７が背面板１３にロックされるため、保存箱１０の形態が崩れないように強固に維持することができる。また、左右一対の切り込みＮ１、Ｎ２の下端から左右一対の内側蓋板２１、２２の左右端に達する左右一対の斜行折り線Ｌ１２、Ｌ１３が設けられ、これらの斜行折り線Ｌ１２、Ｌ１３を介して左右一対の内側底板１９、２０を背面板１３内面に折り畳めるように構成されているため、背面板１３を第２の折り線Ｌ２を介して折り曲げ、ワンタッチで左右の内側底板１９、２０を背面板１３から開くだけで底板１１、背面板１３及び左右の側板１４、１５を簡単に形成することができ、延いては保存箱１０を簡単且つ短時間で組み立てることができる。
【００４１】
尚、本発明は上記実施形態に何ら制限されるものではなく、各構成要素を適宜設計変更することができる。例えば、本発明の保存箱は、図１１に示すように、蓋板に長円形の開閉自在な蓋を形成することで、災害時に廃棄可能な便器としても使用することができる。
【符号の説明】
【００４２】
１０    保存箱
１１    底板
１２    正面板
１３    背面板
１４、１５    側板
１６、１７    内側板
１８    蓋板
１９、２０    内側底板
Ｌ１〜Ｌ１３    折り線
Ｍ１、Ｍ２    ミシン目
Ｎ１、Ｎ２    差し込み口
【要約】
【課題】文書のサイズに即して保存スペースのサイズを変更し、保存スペースを効率よく活用することができる保存箱を提供する。
【解決手段】本発明の保存箱１０は、底板１１と、正面板１２及び背面板１３と、左側板１４及び右側板１５と、左内側板１６及び右内側板１７と、底板１１と対向する蓋板１８と、左右一対の内側底板１９、２０及び内側蓋板２１、２２と、を備え、背面板１３及び左右の側板１４，１５にはそれぞれの下端から所定の距離だけ隔てた位置にサイズを変更するための折り線Ｌ１１が設けられており、また、正面板１２及び左右の内側板１６、１７にはそれぞれの上端から所定の距離だけ隔てた位置にサイズを変更するための折り線Ｌ１０が設けられていると共に正面板１２と左右の内側板１６、１７の境界の上端から折り線Ｌ１０に達する一対のミシン目Ｍ１、Ｍ２が設けられている。
【選択図】図１【図１】
0005517229.tif 000002
【図２】
0005517229.tif 000003
【図３】
0005517229.tif 000004
【図４】
0005517229.tif 000005
【図５】
0005517229.tif 000006
【図６】
0005517229.tif 000007
【図７】
0005517229.tif 000008
【図８】
0005517229.tif 000009
【図９】
0005517229.tif 000010
【図１０】
0005517229.tif 000011
【図１１】
0005517229.tif 000012